(57)【要約】【課題】開口部に関して配置され得、屑が開口部に侵入するのを防止する一方液体が通過し得る組立栓を提供する。【解決手段】屑がパイプ（１３）の中に入り込むのを防止するために該パイプ（１３）の第１の端の開口部中に収容されるように適合させられる組立栓（１１）であって、該開口部中に収容されるように適合させられる第１の部分（２１）と、該第１の部分（２１）が該開口部から内側に向かって離れないようにすることを確実にする第２の部分（２３）と、該組立栓（１１）を流体が通過できるようにする排液手段（３３）とを含むことを特徴とする組立栓（１１）を提供する。【選択図】図２
2009541664.tif 000002
【特許請求の範囲】
【請求項１】
屑がパイプの中に入り込むのを防止するために該パイプの第１の端の開口部中に収容されるように適合させられる組立栓であって、
該開口部中に収容されるように適合させられる第１の部分と、
該第１の部分が該開口部から内側に向かって離れないようにすることを確実にする第２の部分と、
該組立栓を流体が通過できるようにする排液手段とを含むことを特徴とする組立栓。
【請求項２】
前記第１の部分が円筒形をなしそして前記パイプの前記第１の端中にを密着する（ｃｏｍｐｌｉｍｅｎｔｓ  ｔｈｅ  ｆｉｒｓｔ  ｅｎｄ  ｏｆ  ｔｈｅ  ｐｉｐｅ）ことを特徴とする、請求項１に記載の組立栓。
【請求項３】
前記第１の部分が前記パイプ中に適合させられて収容されることを特徴とする、請求項１または２に記載の組立栓。
【請求項４】
前記第１の部分が中空であることを特徴とする、請求項１から３のいずれかに記載の組立栓。
【請求項５】
前記第１の部分がその第１の端に開口部を有することを特徴とする、請求項１から４のいずれかに記載の組立栓。
【請求項６】
前記第１の部分がその第２の端に端壁を有し、それによって導管に侵入し得る屑が該第１の部分に集められ、該第１の部分が屑を収容する貯蔵所を提供することを特徴とする、請求項５に記載の組立栓。
【請求項７】
前記第２の部分が前記第１の部分に固定させられて連結されることを特徴とする、請求項１から６のいずれかに記載の組立栓。
【請求項８】
前記第２の部分が前記第１の部分の第１の端に固定されることを特徴とする、請求項５から７のいずれかに記載の組立栓。
【請求項９】
前記第２の部分が通常の状態において実質的に平面であることを特徴とする、請求項１から８のいずれかに記載の組立栓。
【請求項１０】
前記第１の部分の第１の端が前記第２の部分の第１の表面の中央領域に固定させられて連結されることを特徴とする、請求項５から９のいずれかに記載の組立栓。
【請求項１１】
前記第２の部分が前記第１の部分の端壁に固定されることを特徴とする、請求項１から７のいずれかに記載の組立栓。
【請求項１２】
前記第２の部分が開口部に関して固定されるよう適合させられることを特徴とする、請求項１から１１のいずれかに記載の組立栓。
【請求項１３】
前記第２の部分が前記パイプの第１の端の近くの表面に固定されるように適合させられることを特徴とする、請求項１から１２のいずれかに記載の組立栓。
【請求項１４】
前記第２の部分が前記パイプに固定されるように適合させられることを特徴とする、請求項１から１３のいずれかに記載の組立栓。
【請求項１５】
前記第２の部分が可とう性を有することを特徴とする、請求項１から１４のいずれかに記載の組立栓。
【請求項１６】
前記第２の部分が緩衝材から製造されることを特徴とする、請求項１から１５のいずれかに記載の組立栓。
【請求項１７】
前記排液手段が前記第１の部分に含まれることを特徴とする、請求項１から１６のいずれかに記載の組立栓。
【請求項１８】
前記排液手段が前記第２の部分に含まれることを特徴とする、請求項１から１７のいずれかに記載の組立栓。
【請求項１９】
前記第１の部分が中空であり、前記排液手段が前記第２の部分に含まれ、それによって該排液手段が該第１の部分の中空部と一直線に並び、液体がこれらを通って通過することが可能になることを特徴とする、請求項１から１８のいずれかに記載の組立栓。
【請求項２０】
前記パイプの前記開口部と一直線に並ぶ前記組立栓の少なくとも１部分が液体透過性材料からなり排液手段を与えることを特徴とする、請求項１から１９のいずれかに記載の組立栓。
【請求項２１】
前記材料に可とう性があり、高い耐磨耗性及び緩衝特性があることを特徴とする、請求項２０に記載の組立栓。
【請求項２２】
前記組立栓が前記パイプに取り付けられるとき、前記開口部に隣接する該パイプの外側面の回りを囲むように適合させられる第３の部分をさらに含むことを特徴とする、請求項１から２１のいずれかに記載の組立栓。
【請求項２３】
前記第３の部分が、前記第１の部分に関して同軸上に配置するように前記第２の部分上に搭載される中空の円筒であることを特徴とする、請求項２２に記載の組立栓。
【請求項２４】
前記第３の部分が前記第２の部分に固定されて取り付けられることを特徴とする、請求項２３に記載の組立栓。
【請求項２５】
パイプ開口部に隣接する前記パイプの壁が前記第１の部分と第３の部分の間に収容されるように前記第２の部分が該第１の部分に関して配置されることを特徴とする、請求項２２から２４のいずれかに記載の組立栓。
【請求項２６】
前記パイプ壁が、前記第１の部分及び第３の部分の間に締まりばめとなるように適合させられて収容されることを特徴とする、請求項２５に記載の組立栓。
【請求項２７】
前記第２の部分の直径が前記第３の部分の外径と等しくなることを特徴とする、請求項２２から２６のいずれかに記載の組立栓。
【請求項２８】
前記パイプの外側の、パイプ端から離れた位置にある第１の位置に、前記第３の部分が着脱可能に固定されるよう適合させられることを特徴とする、請求項２２から２８のいずれかに記載の組立栓。
【請求項２９】
前記第３の部分が可とう性を有することを特徴とする、請求項２２から２９のいずれかに記載の組立栓。
【請求項３０】
前記材料が弾力性も有し得ることを特徴とする、請求項２０から２９のいずれかに記載の組立栓。
【請求項３１】
前記材料が予め選ばれた流体が通過するのを防止するろ過手段を与えることを特徴とする、請求項２０から３０のいずれかに記載の組立栓。
【請求項３２】
前記材料が通過する流体に望まれる流速を与えることを特徴とする、請求項２０から３１のいずれかに記載の組立栓。
【請求項３３】
屑がパイプの中に入り込むのを防止するために該パイプの第１の端中に収容されるように適合させられる組立栓であって、
該第１の端中に収容されるように適合させられる第１の部分と、
該組立栓が該第１の端に関して配置されるとき該第１の部分を適切な位置に保持する平面形を有し該第１の部分に連結する第２の部分とを含む組立栓において、
該第１の部分及び第２の部分が弾力のある液体透過性の材料から製造されこれにより排液手段が与えられることを特徴とする組立栓。
【請求項３４】
屑がパイプの中に入り込むのを防止するために該パイプの第１の端中に収容されるように適合させられる組立栓であって、
該第１の端中に収容されるように適合させられる中空で円筒形をした第１の部分と、
該組立栓が該第１の端に関して配置されるとき該第１の部分を適切な位置に保持する平面形を有し該第１の部分に連結する第２の部分とを含む組立栓において、
該第２の部分が弾力のある液体透過性の材料から製造されこれにより該組立栓に排液手段が与えられることを特徴とする組立栓。
【請求項３５】
屑がパイプの中に入り込むのを防止するために該パイプの第１の端に関して受容されるように適合させられる組立栓であって、
該第１の端を覆うように適合させられる第１の部分と、
該第１の部分を適切な位置に保持する第２の部分と、
該組立栓を流体が通過できるようにする排液手段とを含むことを特徴とする組立栓。
【請求項３６】
屑がパイプの中に入り込むのを防止するために該パイプの第１の端に関して受容されるように適合させられる組立栓であって、
該第１の端の開口部中に収容されるように適合される第１の部分と、
該開口部に隣接する該パイプの部分が該第１の部分と第３の部分との間に収容されるように該第１の端を覆うように適合させられる該第３の部分と、
該第１の部分及び第３の部分を適切な位置に保持する第２の部分と、
該組立栓を流体が通過できるようにする排液手段とを含むことを特徴とする組立栓。
【請求項３７】
屑がパイプの中に入り込むのを防止するために該パイプの第１の端中に収容されるように適合させられる組立栓であって、
該第１の端中に収容されるように適合させられる第１の部分と、
その第１の端が該第１の部分に固定され、その第２の端が該組立栓が該パイプの第１の端に関して配置されるとき該パイプまたはその近傍の表面に固定され該第１の部分を適切な位置に保持する第２の部分とを含む組立栓において、
該第２の部分が該第１の部分が該パイプからはずれされることを可能にし、該第１の部分は弾力のある液体透過性の材料から製造されこれにより排液手段を与えることを特徴とする組立栓。
【請求項３８】
屑がパイプの中に入り込むのを防止するために該パイプの第１の端に関して受容されるように適合させられる組立栓であって、
第１の端の開口部中に収容されるように適合される第１の部分と、
該開口部に隣接する該パイプの部分が該第１の部分と第３の部分との間に収容されるように該第１の端を覆うように適合させられる該第３の部分と、
該第１の部分及び第３の部分を適切な位置に保持する第２の部分と、
該組立栓を流体が通過できるようにする排液手段とを含む組立栓において、
該第３の部分が該パイプ端から離れた位置にある該パイプの第１の位置に締め付けられるように適合されることを特徴とする組立栓。
【請求項３９】
屑がパイプの中に入り込むのを防止するために該パイプの開口部に関して取り付けられるように適合させられる栓セットであって、
第１の組立栓、
ガード、及び
第２の組立栓を含む栓セットにおいて、
流体が該栓セットを通過できるように該栓セットが排液手段を有することを特徴とする栓セット。
【請求項４０】
屑がパイプの中に入り込むのを防止するために該パイプの開口部に関して取り付けられるように適合させられる栓セットであって、
第１の組立栓、
ガード、及び
第２の組立栓を含む栓セットにおいて、
該パイプが端にフランジを有しこれに該栓セットが取り付けられ、流体が該栓セットを通過できるように該栓セットが排液手段を有することを特徴とする栓セット。
【請求項４１】
前記第１の組立栓が、前記開口部中またはその内周に接して受容されるように適合される第１の部分と、該第１の部分に連結され該第１の部分を適切な位置に保持する第２の部分と、流体が該組立栓を通過できるように設けられる排液手段とを有することを特徴とする、請求項４０に記載の栓セット。
【請求項４２】
前記ガードが円板を含む請求項４０または４１に記載の栓セット。
【請求項４３】
前記円板が、適切な位置にあるときには前記パイプの前記開口部と一直線上に並ぶ孔を有することを特徴とする、請求項４２に記載の栓セット。
【請求項４４】
前記ガードが、前記円板の外周から円板に対して実質的に９０°の角度で延びる側壁を含むことを特徴とする、請求項４０から４３のいずれかに記載の栓セット。
【請求項４５】
前記パイプの前記フランジが前記ガードの前記側壁内に適合するように該ガードの直径が決められることを特徴とする、請求項４０から４４のいずれかに記載の栓セット。
【請求項４６】
前記ガードが前記フランジを覆うように配置されるとき前記第２の組立栓が該ガードを覆うように取り付けられるように適合され、該第２の組立栓は第４の部分の外周から延びる側壁の形態の第３の部分を含むことを特徴とする、請求項４０から４４のいずれかに記載の栓セット。
【請求項４７】
前記第３の部分が可とう性を有し、適切な位置にあるとき該第３の部分が前記パイプの端から離れた位置にある該パイプの第１の位置で該パイプにかみ合わされることを特徴とする、請求項４６に記載の栓セット。
【請求項４８】
前記第３の部分がケーブルタイまたは他の締め付け手段を用いて前記パイプに締め付けられることを特徴とする、請求項４６または４７に記載の栓セット。
【請求項４９】
前記第４の部分が前記フランジと同じかまたは前記フランジよりわずかに大きい直径を有することを特徴とする、請求項４６または４８に記載の栓セット。
【請求項５０】
前記第１の組立栓及び前記第２の組立栓の部分または全体が、流体がそれらを通過することを可能にしそれゆえ排液手段を与える材料から作製されることを特徴とする、請求項４０から４９のいずれかに記載の栓セット。
【請求項５１】
前記ガードの排液手段が前記孔によって与えられることを特徴とする、請求項４３から５０のいずれかに記載の栓セット。
【請求項５２】
屑がパイプの中に入り込むのを防ぎそして栓セットが取り付けられるフランジを有する該パイプの端を保護するために、該パイプの開口部に関して取り付けられるように適合させられる栓セットであって、
第１の組立栓と、
ガードと、
第２のガードを含む栓セットにおいて、
該栓セットまたはその部品が耐衝撃性を有することを特徴とする栓セット。
【請求項５３】
前記第１の組立栓が請求項１から２１のいずれかに記載されている通りであることを特徴とする、請求項５２に記載の栓セット。
【請求項５４】
屑がパイプに入り込むのを防止するために開口部に関して取り付けられるように適合させられる組立栓であって、
該開口部中またはその内周に接して受容されるように適合させられる第１の部分と、
該第１の部分を適切な位置に保持する該第１の部分に連結される第２の部分と、
流体が該組立栓を通過できるようにする排液手段とを含む組立栓。
【請求項５５】
実質的に本明細書において図を参照して記載される組立栓。
【請求項５６】
実質的に本明細書において図を参照して記載される栓セット。
【発明の詳細な説明】
【技術分野】
【０００１】
本発明は、概して、パイプまたは導管中に与えられるような穴に屑が侵入するのを防止するための液体透過性組立栓に関する。
【背景技術】
【０００２】
ビルディングの建設などの土木工事の過程では、配管工事及び電気ケーブル布線のための導管は、コンクリート平板の注入に先立って配置する必要がある。一旦平板が固定されると、これらの導管はその中に固定される。ある種の用途では、これらのパイプは前記平板の上部表面から盛り上がり得る。
【０００３】
平板舗装が一般に建設段階の初期ステージの１つである一方、電気用工作物及び配管用工作物の設置はしばらく後になるまで実施されない。こうして電気用工作物及び配管用工作物の設置が後になることは、導管が、建設現場の苛酷な環境、気象条件、並びに絶え間ない交通にさらされることを意味する。この結果、導管は度々損傷を受け、そして通常は屑で満たされる。一旦導管が屑で満たされると、電気工事及び／または配管工事を始める前に、導管を清掃するのは困難で面倒になる。
【０００４】
これらの問題を克服する１つの方法は、導管の開口部を覆うようにテープまたはプラスチックキャップを設置し屑が導管に侵入するのを防止することである。しかし、テープはしばしば導管から引き剥がされ、キャップにはひびが入って導管の開口部が露出される。
【０００５】
前記開口部のテープまたはキャップによる被覆は、しばしばコンクリート平板上に突き出したパイプ部分が切り取られ、開口部が実質的に前記平板に対して平らにされた後に行われる。
【０００６】
建設現場では、前記平板上に液体が溜まったときには液体がすぐに排出されるように良好な排水が与えられる必要もある。それゆえ、排水が促進されるように導管が詰まっていないことが望ましい。導管が屑で閉塞される場合、液体を排出するのにより長い時間を要し、作業現場を危険にする。
【０００７】
同様の問題が、パイプへの屑の侵入の防止が高く望まれる石油ガス業界で生じている。現在、一旦パイプが製造されると各端にプラスチックキャップが付けられてごみの侵入が防止される。輸送および保管の間に、これらのキャップしばしば損傷を受け、そして完全に折れて取られるかまたはパイプ端の中もしくは内周にキャップのコアを残して壊れることがある。一旦キャップが壊れると、ごみ及び水がパイプに浸入し、パイプを錆びさせる。このようなことが生じるときは、設置する前に、パイプを高圧力の水を用いて洗わなければならずそして更にパイプに窒素の爆風を吹き付ける必要もあり得る。
【０００８】
前述の本発明の背景技術の考察は、本発明に対する理解を促進するためのみになされた。この考察が、そこで参照される材料のいずれもが本出願の優先日で周知の一般知識の一部であるようなことを承諾または承認するものではないことが十分に理解されるべきである。
【発明の概要】
【発明が解決しようとする課題】
【０００９】
本発明の目的は、開口部に関して配置され得、屑が開口部に侵入するのを防止する一方液体が通過し得る組立栓を提供することである。
【課題を解決するための手段】
【００１０】
本発明は、屑がパイプの中に入り込むのを防止するために開口部に関して取り付けられるように適合させられる組立栓であって、該開口部の中または内周に接して受容されるように適合させられる第１の部分と、該第１の部分を適切な位置に保持する該第１の部分に連結される第２の部分と、該組立栓を流体が通過できるようにするための排液手段とを含む組立栓を提供する。
【００１１】
本発明は、屑がパイプの中に入り込むのを防止するために該パイプの第１の端の開口部中に収容されるように適合させられる組立栓であって、該開口部中に収容されるように適合させられる第１の部分と、該第１の部分が該開口部から内側に向かって離れないようにすることを確実にする第２の部分と、該組立栓を流体が通過できるようにする排液手段とを含むことを特徴とする組立栓を提供する。
【００１２】
前記第１の部分は円筒形をなし得る。前記第１の部分の形態は、前記パイプの前記第１の端中に密着する（ｃｏｍｐｌｉｍｅｎｔｓ  ｔｈｅ  ｆｉｒｓｔ  ｅｎｄ  ｏｆ  ｔｈｅ  ｐｉｐｅ）ように選ばれる。好ましくは、前記第１の部分は、前記パイプに適合されるよう収容される。
【００１３】
前記第１の部分は中空であり得る。
【００１４】
前記第１の部分は、その第１の端に開口部を有し得る。前記第１の部分は、その第２の端に端壁を有し得、それによって導管に侵入し得る屑が該第１の部分中に集められる。前記第１の部分は、屑を収容する貯蔵所を提供し得る。
【００１５】
前記第２の部分は、前記第１の部分に固定させられて連結され得る。
【００１６】
本発明の１つの態様では、前記第２の部分は、前記第１の部分の第１の端に固定される。前記第２の部分は、通常の状態において実質的に平面であり得る。前記第１の部分の第１の端は、前記第２の部分の第１の表面の中央領域に固定させられて連結され得る。
【００１７】
本発明の別の態様では、前記第２の部分は、前記第１の部分の端壁に固定される。
【００１８】
前記第２の部分は、開口部に関して固定されるよう適合させられ得る。
【００１９】
本発明の１つの態様では、前記第２の部分は、前記パイプの第１の端の近くの表面に固定されるように適合させられ得る。これは、前記パイプが必要とされるようなときまで前記組立栓を適切な位置に保持するのを可能にする。前記第２の部分は、該第２の部分の一部分を平板などの表面に接着剤で接着することによって固定され得る。
【００２０】
本発明の別の態様では、前記第２の部分は、前記パイプに固定されるように適合させられる。
【００２１】
好ましくは、前記第２の部分は、可とう性を有する。
【００２２】
前記第２の部分は、緩衝材から製造され得る。
【００２３】
本発明の１つの態様では、前記排液手段が前記第１の部分に含まれる。前記排液手段は、前記第２の部分にも含まれ得る。
【００２４】
本発明の更なる態様では、前記第１の部分が中空であり、前記排液手段が前記第２の部分に含まれ、それによって該排液手段が該第１の部分の中空部と一直線に並び、液体がこれらを通って通過することが可能になる。
【００２５】
前記パイプの前記開口部と一直線に並ぶ前記組立栓の少なくとも１部分が、液体透過性材料からなり、液体を通過させることができ、これにより排液手段を与える。
【００２６】
好ましくは、前記材料は、可とう性があり、高い耐磨耗性及び緩衝特性を有する。
【００２７】
前記組立栓は、該組立栓が前記パイプに取り付けられるとき、前記開口部に隣接する該パイプの外側面の回りを囲むように適合させられる第３の部分を含み得る。前記第３の部分は、中空の円筒であり得、好ましくは前記第１の部分に関して同軸上に配置するように前記第２の部分上に搭載される。前記第３の部分は、前記第２の部分に固定され得る。
【００２８】
前記第２の部分は、該第１の部分に関して、パイプ開口部に隣接する前記パイプの壁が前記第１の部分と第３の部分の間に収容されるように、配置され得る。好ましくは、前記パイプ壁は、前記第１の部分及び第３の部分の間に締まりばめとなるように適合させられて収容される。これは、前記組立栓を前記パイプの端上に保持するのに役立つ。
【００２９】
本発明の１つの態様では、前記第２の部分の直径が前記第３の部分の外径と等しくなる。
【００３０】
好ましくは、前記第３の部分は可とう性を有する。
【００３１】
前記第３の部分は、前記パイプの外側の、パイプ端から離れた位置にある第１の位置に、着脱可能に固定されるよう適合させられ得る。第１の位置でのパイプの直径は、パイプ端での直径から変化し得る。前記第３の部分は、前記第１の位置に固定し得る。
【００３２】
前記パイプがその端にフランジを含む場合では、該フランジを超えて延びる前記第３の部分の領域が、該パイプの第１の位置で締め付けられ得る。この場合、前記第１の位置での直径は、前記パイプの端での直径よりも著しく狭い。他の場合では、前記パイプ端の直径は、前記第１の位置のパイプ直径よりも狭くし得る。この場合、前記パイプ端は前記第３の部分と第１の部分との間に適合するようには受容されないが、前記第３の部分が、該パイプの第１の位置で締め付けられ、組立栓を適切な位置に保持する。
【００３３】
前記材料は、弾力性も有し得る。前記材料を適切に選択することによって、前記組立栓に、その上に落下してくる部材またはその上を通る車両からの一定程度の衝撃に耐える能力が与えられる。
【００３４】
前記材料は、予め選ばれた流体が通過するのを防止するろ過手段を与え得る。
【００３５】
前記材料は、通過する流体に望まれる流速を与えるよう選択し得る。
【００３６】
本発明の１つの態様では、前記組立栓またはその部分は、繊維材料から製造され得る。
【００３７】
本発明の別の態様では、前記組立栓またはその部分は、ステンレス鋼の織物などの可とう性を有するメッシュから製造され得る。
【００３８】
好ましくは、前記材料は、高い耐磨耗特性を有する。
【００３９】
本発明は、屑がパイプの中に入り込むのを防止するために該パイプの第１の端中に収容されるように適合させられる組立栓であって、該第１の端中に収容されるように適合させられる第１の部分と、該組立栓が該第１の端に関して配置されるとき該第１の部分を適切な位置に保持する平面形を有し該第１の部分に連結する第２の部分とを含む組立栓において、該第１の部分及び第２の部分が弾力のある液体透過性の材料から製造されこれにより排液手段が与えられることを特徴とする組立栓を提供する。
【００４０】
本発明は、屑がパイプの中に入り込むのを防止するために該パイプの第１の端中に収容されるように適合させられる組立栓であって、該第１の端中に収容されるように適合させられる中空で円筒形をした第１の部分と、該組立栓が該第１の端に関して配置されるとき該第１の部分を適切な位置に保持する平面形を有し該第１の部分に連結する第２の部分とを含む組立栓において、該第２の部分が弾力のある液体透過性の材料から製造されこれにより該組立栓に排液手段が与えられることを特徴とする組立栓を提供する。
【００４１】
本発明は、屑がパイプの中に入り込むのを防止するために該パイプの第１の端に関して受容されるように適合させられる組立栓であって、該第１の端を覆うように適合させられる第１の部分と、該第１の部分を適切な位置に保持する第２の部分と、該組立栓を流体が通過できるようにする排液手段とを含むことを特徴とする組立栓を提供する。
【００４２】
本発明は、屑がパイプの中に入り込むのを防止するために該パイプの第１の端に関して受容されるように適合させられる組立栓であって、該第１の端の開口部中に収容されるように適合される第１の部分と、該開口部に隣接する該パイプの部分が該第１の部分と第３の部分との間に収容されるように該第１の端を覆うように適合させられる該第３の部分と、該第１の部分及び第３の部分を適切な位置に保持する第２の部分と、該組立栓を流体が通過できるようにする排液手段とを含むことを特徴とする組立栓を提供する。
【００４３】
本発明は、屑がパイプの中に入り込むのを防止するために該パイプの第１の端中に収容されるように適合させられる組立栓であって、該第１の端中に収容されるように適合させられる第１の部分と、その第１の端が該第１の部分に固定され、その第２の端が該組立栓が該パイプの第１の端に関して配置されるとき該パイプまたはその近傍の表面に固定され該第１の部分を適切な位置に保持する第２の部分とを含む組立栓において、該第２の部分が該第１の部分が該パイプからはずれされることを可能にし、該第１の部分は弾力のある液体透過性の材料から製造されこれにより排液手段を与えることを特徴とする組立栓を提供する。
【００４４】
更に本発明は、屑がパイプの中に入り込むのを防止するために該パイプの第１の端に関して受容されるように適合させられる組立栓であって、第１の端の開口部中に収容されるように適合される第１の部分と、該開口部に隣接する該パイプの部分が該第１の部分と第３の部分との間に収容されるように該第１の端を覆うように適合させられる該第３の部分と、該第１の部分及び第３の部分を適切な位置に保持する第２の部分と、該組立栓を流体が通過できるようにする排液手段とを含む組立栓において、該第３の部分が該パイプ端から離れた位置にある該パイプの第１の位置に締め付けられるように適合されることを特徴とする組立栓を提供する。
【００４５】
更に本発明は、屑がパイプの中に入り込むのを防止するために該パイプの開口部に関して取り付けられるように適合させられる栓セットであって、第１の組立栓、ガード、及び第２の組立栓を含む栓セットにおいて、流体が該栓セットを通過できるように該栓セットが排液手段を有することを特徴とする栓セットを提供する。
【００４６】
好ましくは、前記第１の組立栓は先に記載されたものである。
【００４７】
更に本発明は、屑がパイプの中に入り込むのを防止するために該パイプの開口部に関して取り付けられるように適合させられる栓セットであって、第１の組立栓、ガード、及び第２の組立栓を含む栓セットにおいて、該パイプが端にフランジを有しこれに該栓セットが取り付けられ、流体が該栓セットを通過できるように該栓セットが排液手段を有することを特徴とする栓セットを提供する。
【００４８】
前記第１の組立栓は、前記開口部中またはその内周に接して受容されるように適合される第１の部分と、該第１の部分に連結され該第１の部分を適切な位置に保持する第２の部分と、流体が該組立栓を通過できるように設けられる排液手段とを含み得る。
【００４９】
前記ガードは、円板を含み得る。好ましくは、前記円板は、適切な位置にあるときには前記パイプの前記開口部と一直線上に並ぶ孔をその中に有する。前記ガードは、前記円板の外周から円板に対して実質的に９０°の角度で延びる側壁も含み得る。好ましくは、前記パイプの前記フランジが前記ガードの前記側壁内に適合するように該ガードの直径は決められる。
【００５０】
前記ガードは、熱可塑性ポリカーボネート樹脂（例えばＬｅｘａｎ（登録商標））などの緩衝材から製造され得る。
【００５１】
前記ガードが前記フランジを覆うように配置されるとき、前記第２の組立栓は、該ガードを覆うように適合させられ得る。前記第２の組立栓は、第４の部分の外周から延びる側壁の形態の第３の部分を含む。
【００５２】
前記第３の部分は、可とう性を有し得、適切な位置にあるとき該第３の部分は、前記パイプの端から離れた位置にある該パイプの第１の位置で該パイプにかみ合わされ得る。前記第３の部分は、ケーブルタイまたは他の締め付け手段を用いて前記パイプに締め付けられ得る。
【００５３】
前記第４の部分は、前記フランジと同じかまたは前記フランジよりわずかに大きい直径を有し得る。
【００５４】
前記第１の組立栓及び前記第２の組立栓の部分または全体は、流体がそれらを通過することを可能にしそれゆえ排液手段を与える材料から製造され得る。
【００５５】
前記ガードの排液手段は、前記孔によって与えられ得る。
【００５６】
更に本発明は、屑がパイプの中に入り込むのを防ぎそして栓セットが取り付けられるフランジを有する該パイプの端を保護するために、該パイプの開口部に関して取り付けられるように適合させられる栓セットであって、第１の組立栓と、ガードと、第２のガードを含む栓セットにおいて、該栓セットまたはその部品が耐衝撃性を有することを特徴とする栓セットを提供する。
【００５７】
好ましくは、前記第１の組立栓は、先に記載されたものである。
【図面の簡単な説明】
【００５８】
本発明は、以下に記載するその７つの具体的実施形態を引用することによって、よりよく理解される。この本発明の７つの具体的実施形態は、付随する図面中に示される。図は：
【図１】本発明の第１の実施形態による組立栓の底面図である。
【図２】図１の横断側面図である。
【図３】本発明の第２の実施形態による組立栓の側面図である。
【図４】図３に示される組立栓がはさまった状態のパイプの横断側面図である。
【図５】パイプ上に配置される第３の実施形態による組立栓の横断側面図である。
【図６】断面６−６で切った図５の端面図である。
【図７】第４の実施形態による組立栓の横断側面図である。
【図８】第５の実施形態による組立栓の横断側面図である。
【図９】第６の実施形態による組立栓の横断側面図である。
【図１０】第７の実施形態による組立栓の横断側面図である。
【図１１】図１０に示されるガードの横断側面図である。及び
【図１２】図１１に示されるガードの平面図である。
【発明を実施するための形態】
【００５９】
図１及び図２を参照すると、本発明による第１の実施形態は、パイプ１３に挿入される組立栓１１の形態をとる。通常はビルディングの建設の間、平板１９のためのコンクリートの注入に先立って、配管業務及び電気工事業務のためのパイプ工作物が配置される。従って、前記パイプ工作物は、建設の初期段階からビルディング構造物中に組み込まれる。
【００６０】
前記組立栓１１は、第２の部分２３に固定されて連結される第１の部分２１を含む。図２に示されるように、前記第１の部分２１は、前記第２の部分２３に縫い目２９により縫い付けられ固定されて連結される。しかし、接着剤による接着などの、前記第１の部分２１と第２の部分２３とを一緒に固定しながら連結するいかなる他の手段も本発明の範囲に含まれることが理解される。これらは一体化されていてさえも良い。前記組立栓１１が前記パイプ１３の前記開口部を覆う障壁となるように配置されるとき、前記第２の部分２３は前記第１の部分２１を該パイプ１３の該開口部中に保持する。
【００６１】
前記第１の部分２１は中空で、円筒形をしており、前記パイプ１３の第１の端１５中に収容されるとき前記パイプ１３中に適合して配置するような直径を有する。前記第１の部分２１は、前記第２の部分２３の第１の表面２７上に位置する中央領域２５で該第２の部分２３に固定されて連結される第１の端２２を有する。
【００６２】
前記第２の部分２３は平面形をしており、前記中央領域２５を超えて放射状に延長され、前記平板１９の表面１７へと固定され得る固定用表面３１を与える。前記固定用表面３１は、当業者に既知のあらゆる手段によって表面１７に固定され得る。しかし、これは概して接着剤による接着の方法によることが期待される。前記固定用表面３１が表面１７に固定されるとき、前記組立栓１１は適切な位置に固定されパイプ開口部を覆う障壁を提供する。
【００６３】
前記組立栓１１は、排液手段３３も含み、これは該組立栓１１の屑の侵入に対する障壁となる能力を損なうことなく、水などの液体が該組立栓１１を通過しパイプから排出されるのを可能にする。示されている実施形態では、前記組立栓１１が製造される材料が前記排液手段３３を与える。この材料は透過性があり、液体を通過させる。
【００６４】
本実施形態では、前記材料は弾力性も有し、前記組立栓１１に緩衝特性を与える。従って、前記組立栓１１が適切な位置にあるとき、前記パイプ１３は、その上に落下する物体または該パイプの上を通る車両から保護される。
【００６５】
図３及び図４は、第２の実施形態による組立栓１１を示す。この組立栓１１と前記第１の実施形態による組立栓１１との相違点は、第１の部分２２１に関する。この実施形態では、第１の部分２２１の中身は詰まっている。この組立栓１１は、特に交通量の多い区域に配置されるパイプ１３に適している。
【００６６】
使用に際しては、前記組立栓１１は、前記パイプ１３のサイズに従って選択される。工事に使用されるパイプの直径の規格数は限られているので、膨大な範囲のサイズの組立栓１１をそろえる必要はない。前記第１の部分２２１は、前記パイプ１３の前記第１の端１５中に、第２の部分２３の第１の表面２７が該第１の端１５にかみ合うまたは隣接するまで挿入される。次に固定用表面３１が、前記平板１９の表面１７に接着剤で接着され前記組立栓１１を前記パイプ１３に関して適切な位置に保持する。
【００６７】
配管作業及び／または電気工事を開始するとき、前記組立栓１１は、前記パイプ１３から容易に外すことができる。
【００６８】
ある種の工事地点では、前記パイプ１３の第１の端１５は、平板の表面１７から上に突き出る。前記パイプ１３の突き出した長さが少ししかない場合、前記第２の部分２３の前記固定用表面３１は、該第２の部分２３が可とう性を有するため、前記平板の表面１７に依然固定され得る。しかし、前記パイプ１３の突き出した長さがより長い場合、前記固定用表面３１は、前記パイプの第１の端１５に隣接する前記パイプ１３の外側に固定される必要がある。
【００６９】
図５及び図６を参照して、本発明の更なる実施形態が示される。この実施形態は、建設産業で使用されるものなど、特に輸送され得る及び／または媒体中に固定されないパイプに適している。例えばこの実施形態の用途としては、特に輸送及び保管の間にパイプに望ましくない屑が入り込まないようにすることが重要な、石油ガス産業における利用がある。
【００７０】
図５に見ることができるように、組立栓４１は、パイプ１３の一端を覆うように配置される。この組立栓４１は、前記第１の実施形態において上記したものと実質的に同一のものに、第３の部分４３を付加したものである。前記第３の部分４３は、円筒形をしており、前記第１の部分２１に関して同軸上に配置されるように前記第２の部分２３の第１の表面２７上に固定されて搭載される。前記第３の部分４３は、前記パイプ１３の外側表面に適合する袖として作用する。前記第１の部分２１と第３の部分４３との間の空間は、前記パイプの壁がそこに適合するように収容されるように造られる。これは、組立栓４１が前記パイプ１３の開口部の上に着脱可能に保持されるのを確実にする。
【００７１】
代替の実施形態では、前記組立栓４１は、前記パイプ端に接着剤で接着され得、チャックされ得、縛られ得、または他の手段で締め付けられ得、適切な位置に保持される。
【００７２】
図７を参照すると、本発明による第４の実施形態が、パイプに挿入するための組立栓１１の形態をとるのがわかる。この組立栓１１は、第１の部分２１に固定されて連結される第２の部分１２３を含む。接着剤による接着などの、前記第１の部分２１と第２の部分１２３とを一緒に固定して連結するあらゆる手段が本発明の範囲に含まれることが理解される。
【００７３】
前記第１の部分２１は、中空で円筒形をしており、前記パイプ１３の第１の端に収容されるとき該パイプ中に適合して配置するような直径を有する。前記第１の部分２１は、貯蔵所１２７を画定する開放された第１の端１２２及び閉鎖された第２の端１２５を有する。
【００７４】
前記第２の部分１２３は、前記組立栓１１が前記パイプ１３の開口部を覆う障壁となるように配置されるとき、前記第１の部分２１を適切な位置に保持する。
【００７５】
前記第２の部分１２３は、可とう性を有し、前記平板の表面に固定されるように適合させられる。前記第２の部分１２３は、当業者に既知のいかなる手段を用いて表面に固定されても良い。しかし、これは概して接着剤による接着によって行われることが期待される。前記第２の部分１２３が前記表面に固定されるとき、前記組立栓１１は、適切な位置に保持され、屑が更にパイプの中に侵入できないようにする障壁となる。更に前記第１の部分の形状によって、前記組立栓は、前記組立栓から進入し得るいかなる侵入屑も収容できるように作用する。
【００７６】
前記組立栓１１は、排液手段３３も含み、これは該組立栓１１の屑を収容する能力を損なうことなく、水などの液体が該組立栓を通過しパイプから排出されるのを可能にする。示されている実施形態では、前記組立栓１１が製造される材料が前記排液手段３３を与える。この材料は透過性があり、液体を通過させる。
【００７７】
図８は、図５及び図６に示した第３の実施形態に類似した第５の実施形態を示す。この実施形態では、前記第３の部分４３が前記第２の部分２３の外周に隣接して連結される。
【００７８】
図９を参照して、本発明の第６の実施形態が示される。この実施形態は、図８に示される実施形態と類似するが、特に端にフランジ５１を含むパイプに適するように製造されており、このフランジに前記組立栓１１が適合させられる。この実施形態の第３の部分１４３は、パイプの端から離れた位置にあるパイプの第１の位置５３で締め付けられるように適合させられている。前記第３の部分１４３をこの位置に締め付けて前記組立栓１１を適切な位置に保持するのにケーブルタイ５４を使用しても良い。再び、前記第１の部分２１は、パイプの穴の中に適合させられて収容される。しかし、他の実施形態では前記第１の部分２１は無くても良いことが、考察される。
【００７９】
図１０を参照して、本発明の第７の実施形態が示される。再びこの実施形態は、特にその端にフランジ５１を含むパイプに適しており、このフランジに組立栓１１が適合させられる。この実施形態は、第１の組立栓１１ａと、ガード１５１と、第２の組立栓１１ｂとを含む栓セット１１１を示し、これらの栓セットの全ての要素は共同して該栓セット１１１に排液手段を与える。
【００８０】
前記第１の組立栓１１ａは、実質的に図１及び図２に示したもの及び本発明の第１の実施形態において説明したものであるが、これらとは第１の部分が底の無い中空の円筒２１ａの形態をしている点だけ違う。
【００８１】
前記ガード１５１は、更に図１１及び図１２に示され、外周から延びる側壁１５５を有する円板１５３を含む。前記ガード１５１は、前記フランジ５１が前記側壁１５５の境界内に適合して収容されるために十分なサイズを有する。この実施形態では、前記円板１５３は、適切な位置にあるときパイプの開口部と一直線上に並ぶ孔１５７を有する。この孔１５７は、栓セット１１１の排液手段３３の一部分を形成し、パイプが比較的に乾燥した状態になるように液体及び空気を通す。前記孔１５７は、前記第１の組立栓１１ａの第２の部分２３ａを収容するのに十分な直径を有する。しかし、他の実施形態では前記円板１５３は孔１５７を含まなくても良いことが考察される。また、ガード１５１が側壁１５５を有さなくても良いことも考察される。
【００８２】
前記ガード１５１は、熱可塑性ポリカーボネート樹脂（例えばＬｅｘａｎ（登録商標））などの緩衝材から製造される。
【００８３】
前記第２の組立栓１１ｂは、実質的に前記第６の実施形態において説明し、図９中に示したものと同じであるが、中空の円筒２１が存在しない点だけが相違する。
【００８４】
前記第７の実施形態の栓セット１１１は、液体及び空気を通過させる一方で、輸送及び保管の間にパイプのフランジ端に頑強な保護を与える。
【００８５】
前記組立栓の前記第１の部分２１はいかなる形態もとり得、その形態はパイプの形態に基づくことが理解される。
【００８６】
当業者に明白であるような変更形態及び変形形態は、本発明の範囲に入ると見なされる。
【００８７】
明細書を通して、文脈が別なふうに解釈することを要求しない限り、用語“含む（ｃｏｍｐｒｉｓｅ）”または“（ｃｏｍｐｒｉｓｅｓ）”もしくは“（ｃｏｍｐｒｉｓｉｎｇ）”などの語尾変化形は、述べられた完全体または完全体のグループを含むが、いかなる他の完全体または完全体のグループを排除するものではないことを意味することが理解される。
【産業上の利用可能性】
【００８８】
前記組立栓は、石油ガス産業、土木工事及び他のインフラ計画、鉱業、並びに海事産業などの複数の産業において使用できることも理解される。
【符号の説明】
【００８９】
１１    組立栓
１１ａ  第１の組立栓
１１ｂ  第２の組立栓
１１１  栓セット
１２２  開放された第１の端
１２３  第２の部分
１２５  閉鎖された第２の端
１２７  貯蔵所
１３    パイプ
１４３  第３の部分
１５    第１の端
１５１  ガード
１５３  円板
１５５  側壁
１５７  孔
１７    表面
１９    平板
２１    第１の部分
２１ａ  底の無い中空の円筒
２２    第１の端
２２１  第１の部分
２３    第２の部分
２３ａ  第２の部分
２５    中央領域
２７    第１の表面
２９    縫い目
３１    固定用表面
３３    排液手段
４１    組立栓
４３    第３の部分
５１    フランジ
５３    第１の位置
５４    ケーブルタイ
【図１】
2009541664.tif 000003
【図２】
2009541664.tif 000004
【図３】
2009541664.tif 000005
【図４】
2009541664.tif 000006
【図５】
2009541664.tif 000007
【図６】
2009541664.tif 000008
【図７】
2009541664.tif 000009
【図８】
2009541664.tif 000010
【図９】
2009541664.tif 000011
【図１０】
2009541664.tif 000012
【図１１】
2009541664.tif 000013
【図１２】
2009541664.tif 000014
【手続補正書】
【提出日】平成20年9月15日(2008.9.15)
【手続補正１】
【補正対象書類名】明細書
【補正対象項目名】全文
【補正方法】変更
【補正の内容】
【発明の詳細な説明】
【技術分野】
【０００１】
本発明は、概して、パイプまたは導管中に与えられるような穴に屑が侵入するのを防止するための液体透過性組立栓に関する。
【背景技術】
【０００２】
ビルディングの建設などの土木工事の過程では、配管工事及び電気ケーブル布線のための導管は、コンクリート平板の注入に先立って配置する必要がある。一旦平板が固定されると、これらの導管はその中に固定される。ある種の用途では、これらのパイプは前記平板の上部表面から盛り上がり得る。
【０００３】
平板舗装が一般に建設段階の初期ステージの１つである一方、電気用工作物及び配管用工作物の設置はしばらく後になるまで実施されない。こうして電気用工作物及び配管用工作物の設置が後になることは、導管が、建設現場の苛酷な環境、気象条件、並びに絶え間ない交通にさらされることを意味する。この結果、導管は度々損傷を受け、そして通常は屑で満たされる。一旦導管が屑で満たされると、電気工事及び／または配管工事を始める前に、導管を清掃するのは困難で面倒になる。
【０００４】
これらの問題を克服する１つの方法は、導管の開口部を覆うようにテープまたはプラスチックキャップを設置し屑が導管に侵入するのを防止することである。しかし、テープはしばしば導管から引き剥がされ、キャップにはひびが入って導管の開口部が露出される。
【０００５】
前記開口部のテープまたはキャップによる被覆は、しばしばコンクリート平板上に突き出したパイプ部分が切り取られ、開口部が実質的に前記平板に対して平らにされた後に行われる。
【０００６】
建設現場では、前記平板上に液体が溜まったときには液体がすぐに排出されるように良好な排水が与えられる必要もある。それゆえ、排水が促進されるように導管が詰まっていないことが望ましい。導管が屑で閉塞される場合、液体を排出するのにより長い時間を要し、作業現場を危険にする。
【０００７】
同様の問題が、パイプへの屑の侵入の防止が高く望まれる石油ガス業界で生じている。現在、一旦パイプが製造されると各端にプラスチックキャップが付けられてごみの侵入が防止される。輸送および保管の間に、これらのキャップしばしば損傷を受け、そして完全に折れて取られるかまたはパイプ端の中もしくは内周にキャップのコアを残して壊れることがある。一旦キャップが壊れると、ごみ及び水がパイプに浸入し、パイプを錆びさせる。このようなことが生じるときは、設置する前に、パイプを高圧力の水を用いて洗わなければならずそして更にパイプに窒素の爆風を吹き付ける必要もあり得る。
【０００８】
前述の本発明の背景技術の考察は、本発明に対する理解を促進するためのみになされた。この考察が、そこで参照される材料のいずれもが本出願の優先日で周知の一般知識の一部であるようなことを承諾または承認するものではないことが十分に理解されるべきである。
【発明の概要】
【発明が解決しようとする課題】
【０００９】
本発明の目的は、開口部に関して配置され得、屑が開口部に侵入するのを防止する一方液体が通過し得る組立栓を提供することである。
【課題を解決するための手段】
【００１０】
本発明は、屑がパイプの中に入り込むのを防止するために該パイプの第１の端の開口部に関して受容されるように適合させられる組立栓であって、該開口部に関して受容されるように適合させられる第１の部分と、流体を該組立栓及びパイプに容易に浸透させる多孔質材料からできた領域を有する第２の部分とを含む組立栓において、該第１の部分が該組立栓が該開口部に関して配置されるとき該第１の部分を適切な位置に保持する実質的に平面形の第２の部分に固定されて連結され、流体は流体と共に屑を侵入させることなく該組立栓をどちらの方向にも通過できることを特徴とする組立栓を提供する。
本発明は、屑がパイプの中に入り込むのを防止するために開口部に関して取り付けられるように適合させられる組立栓であって、該開口部の中または内周に接して受容されるように適合させられる第１の部分と、該第１の部分を適切な位置に保持する該第１の部分に連結される第２の部分と、該組立栓を流体が通過できるようにするための該第２の部分に含まれる排液手段とを含む組立栓を提供する。
【００１１】
本発明は、屑がパイプの中に入り込むのを防止するために該パイプの第１の端の開口部中に収容されるように適合させられる組立栓であって、該開口部中に収容されるように適合させられる第１の部分と、該第１の部分が該開口部から内側に向かって離れないようにすることを確実にする第２の部分と、該組立栓を流体が通過できるようにする該第２の部分に含まれる排液手段とを含むことを特徴とする組立栓を提供する。
【００１２】
前記第１の部分は円筒形をなし得る。前記第１の部分の形態は、前記パイプの前記第１の端中に密着する（ｃｏｍｐｌｉｍｅｎｔｓ  ｔｈｅ  ｆｉｒｓｔ  ｅｎｄ  ｏｆ  ｔｈｅ  ｐｉｐｅ）ように選ばれる。好ましくは、前記第１の部分は、前記パイプに適合されるよう収容される。
【００１３】
前記第１の部分は中空であり得る。
【００１４】
前記第１の部分は、その第１の端に開口部を有し得る。前記第１の部分は、その第２の端に端壁を有し得、それによって導管に侵入し得る屑が該第１の部分中に集められる。前記第１の部分は、屑を収容する貯蔵所を提供し得る。
【００１５】
前記第２の部分は、前記第１の部分に固定させられて連結され得る。
【００１６】
本発明の１つの態様では、前記第２の部分は、前記第１の部分の第１の端に固定される。前記第２の部分は、通常の状態において実質的に平面であり得る。前記第１の部分の第１の端は、前記第２の部分の第１の表面の中央領域に固定させられて連結され得る。
【００１７】
本発明の別の態様では、前記第２の部分は、前記第１の部分の端壁に固定される。
【００１８】
前記第２の部分は、開口部に関して固定されるよう適合させられ得る。
【００１９】
本発明の１つの態様では、前記第２の部分は、前記パイプの第１の端の近くの表面に固定されるように適合させられ得る。これは、前記パイプが必要とされるようなときまで前記組立栓を適切な位置に保持するのを可能にする。前記第２の部分は、該第２の部分の一部分を平板などの表面に接着剤で接着することによって固定され得る。
【００２０】
本発明の別の態様では、前記第２の部分は、前記パイプに固定されるように適合させられる。
【００２１】
好ましくは、前記第２の部分は、可とう性を有する。
【００２２】
前記第２の部分は、緩衝材から製造され得る。
【００２３】
本発明の１つの態様では、前記排液手段が前記第１の部分に含まれる。前記排液手段は、前記第２の部分にも含まれ得る。
【００２４】
本発明の更なる態様では、前記第１の部分が中空であり、前記排液手段が前記第２の部分に含まれ、それによって該排液手段が該第１の部分の中空部と一直線に並び、液体がこれらを通って通過することが可能になる。
【００２５】
前記パイプの前記開口部と一直線に並ぶ前記組立栓の少なくとも１部分が、液体透過性材料からなり、液体を通過させることができ、これにより排液手段を与える。
【００２６】
好ましくは、前記材料は、可とう性があり、高い耐磨耗性及び緩衝特性を有する。
【００２７】
前記組立栓は、該組立栓が前記パイプに取り付けられるとき、前記開口部に隣接する該パイプの外側面の回りを囲むように適合させられる第３の部分を含み得る。前記第３の部分は、中空の円筒であり得、好ましくは前記第１の部分に関して同軸上に配置するように前記第２の部分上に搭載される。前記第３の部分は、前記第２の部分に固定され得る。
【００２８】
前記第２の部分は、該第１の部分に関して、パイプ開口部に隣接する前記パイプの壁が前記第１の部分と第３の部分の間に収容されるように、配置され得る。好ましくは、前記パイプ壁は、前記第１の部分及び第３の部分の間に締まりばめとなるように適合させられて収容される。これは、前記組立栓を前記パイプの端上に保持するのに役立つ。
【００２９】
本発明の１つの態様では、前記第２の部分の直径が前記第３の部分の外径と等しくなる。
【００３０】
好ましくは、前記第３の部分は可とう性を有する。
【００３１】
前記第３の部分は、前記パイプの外側の、パイプ端から離れた位置にある第１の位置に、着脱可能に固定されるよう適合させられ得る。第１の位置でのパイプの直径は、パイプ端での直径から変化し得る。前記第３の部分は、前記第１の位置に固定し得る。
【００３２】
前記パイプがその端にフランジを含む場合では、該フランジを超えて延びる前記第３の部分の領域が、該パイプの第１の位置で締め付けられ得る。この場合、前記第１の位置での直径は、前記パイプの端での直径よりも著しく狭い。他の場合では、前記パイプ端の直径は、前記第１の位置のパイプ直径よりも狭くし得る。この場合、前記パイプ端は前記第３の部分と第１の部分との間に適合するようには受容されないが、前記第３の部分が、該パイプの第１の位置で締め付けられ、組立栓を適切な位置に保持する。
【００３３】
前記材料は、弾力性も有し得る。前記材料を適切に選択することによって、前記組立栓に、その上に落下してくる部材またはその上を通る車両からの一定程度の衝撃に耐える能力が与えられる。
【００３４】
前記材料は、予め選ばれた流体が通過するのを防止するろ過手段を与え得る。
【００３５】
前記材料は、通過する流体に望まれる流速を与えるよう選択し得る。
【００３６】
本発明の１つの態様では、前記組立栓またはその部分は、繊維材料から製造され得る。
【００３７】
本発明の別の態様では、前記組立栓またはその部分は、ステンレス鋼の織物などの可とう性を有するメッシュから製造され得る。
【００３８】
好ましくは、前記材料は、高い耐磨耗特性を有する。
【００３９】
本発明は、屑がパイプの中に入り込むのを防止するために該パイプの第１の端中に収容されるように適合させられる組立栓であって、該第１の端中に収容されるように適合させられる第１の部分と、該組立栓が該第１の端に関して配置されるとき該第１の部分を適切な位置に保持する平面形を有し該第１の部分に連結する第２の部分とを含む組立栓において、該第１の部分及び第２の部分が弾力のある液体透過性の材料から製造されこれにより排液手段が与えられることを特徴とする組立栓を提供する。
【００４０】
本発明は、屑がパイプの中に入り込むのを防止するために該パイプの第１の端中に収容されるように適合させられる組立栓であって、該第１の端中に収容されるように適合させられる中空で円筒形をした第１の部分と、該組立栓が該第１の端に関して配置されるとき該第１の部分を適切な位置に保持する平面形を有し該第１の部分に連結する第２の部分とを含む組立栓において、該第２の部分が弾力のある液体透過性の材料から製造されこれにより該組立栓に排液手段が与えられることを特徴とする組立栓を提供する。
【００４１】
本発明は、屑がパイプの中に入り込むのを防止するために該パイプの第１の端に関して受容されるように適合させられる組立栓であって、該第１の端を覆うように適合させられる第１の部分と、該第１の部分を適切な位置に保持する第２の部分と、該組立栓を流体が通過できるようにする該第２の部分に含まれる排液手段とを含むことを特徴とする組立栓を提供する。
【００４２】
本発明は、屑がパイプの中に入り込むのを防止するために該パイプの第１の端に関して受容されるように適合させられる組立栓であって、該第１の端の開口部中に収容されるように適合される第１の部分と、該開口部に隣接する該パイプの部分が該第１の部分と第３の部分との間に収容されるように該第１の端を覆うように適合させられる該第３の部分と、該第１の部分及び第３の部分を適切な位置に保持する第２の部分と、該組立栓を流体が通過できるようにする該第２の部分に含まれる排液手段とを含むことを特徴とする組立栓を提供する。
【００４３】
本発明は、屑がパイプの中に入り込むのを防止するために該パイプの第１の端中に収容されるように適合させられる組立栓であって、該第１の端中に収容されるように適合させられる第１の部分と、第２の部分の第１の端が該第１の部分に固定され、該第２の部分の第２の端が該組立栓が該パイプの第１の端に関して配置されるとき該パイプまたはその近傍の表面に固定され該第１の部分を適切な位置に保持する該第２の部分とを含む組立栓において、該第２の部分が該第１の部分が該パイプからはずれされることを可能にし、該第１の部分が流体を該組立栓及びパイプに容易に浸透させる多孔質材料からできた領域を有し、流体が流体と共に屑を侵入させることなく組立栓をどちらの方向にも通過できることを特徴とする組立栓を提供する。
本発明は、屑がパイプの中に入り込むのを防止するために該パイプの第１の端中に収容されるように適合させられる組立栓であって、該第１の端中に収容されるように適合させられる第１の部分と、その第１の端が該第１の部分に固定され、その第２の端が該組立栓が該パイプの第１の端に関して配置されるとき該パイプまたはその近傍の表面に固定され該第１の部分を適切な位置に保持する第２の部分とを含む組立栓において、該第２の部分が該第１の部分が該パイプからはずれされることを可能にし、該第１の部分は弾力のある液体透過性の材料から製造されこれにより排液手段を与えることを特徴とする組立栓を提供する。
【００４４】
更に本発明は、屑がパイプの中に入り込むのを防止するために該パイプの第１の端に関して受容されるように適合させられる組立栓であって、第１の端の開口部中に収容されるように適合される第１の部分と、該開口部に隣接する該パイプの部分が該第１の部分と第３の部分との間に収容されるように該第１の端を覆うように適合させられる該第３の部分と、該第１の部分及び第３の部分を適切な位置に保持する第２の部分と、該組立栓を流体が通過できるようにする該第２の部分に含まれる排液手段とを含む組立栓において、該第３の部分が該パイプ端から離れた位置にある該パイプの第１の位置に締め付けられるように適合されることを特徴とする組立栓を提供する。
【００４５】
更に本発明は、屑がパイプの中に入り込むのを防止するために該パイプの開口部に関して取り付けられるように適合させられる栓セットであって、上述した第１の組立栓、及びガードを含む栓セットにおいて、該栓セットが流体に栓セットを通過させる排液手段を有することを特徴とする栓セットを提供する。
更に本発明は、屑がパイプの中に入り込むのを防止するために該パイプの開口部に関して取り付けられるように適合させられる栓セットであって、第１の組立栓、ガード、及び第２の組立栓を含む栓セットにおいて、流体が該栓セットを通過できるように該栓セットが排液手段を有することを特徴とする栓セットを提供する。
【００４６】
好ましくは、前記第１の組立栓は先に記載されたものである。
【００４７】
更に本発明は、屑がパイプの中に入り込むのを防止するために該パイプの開口部に関して取り付けられるように適合させられる栓セットであって、第１の組立栓、ガード、及び第２の組立栓を含む栓セットにおいて、該パイプが端にフランジを有しこれに該栓セットが取り付けられ、流体が該栓セットを通過できるように該栓セットが排液手段を有することを特徴とする栓セットを提供する。
【００４８】
前記第１の組立栓は、前記開口部中またはその内周に接して受容されるように適合される第１の部分と、該第１の部分に連結され該第１の部分を適切な位置に保持する第２の部分と、流体が該組立栓を通過できるように設けられる排液手段とを含み得る。
【００４９】
前記ガードは、円板を含み得る。好ましくは、前記円板は、適切な位置にあるときには前記パイプの前記開口部と一直線上に並ぶ孔をその中に有する。前記ガードは、前記円板の外周から円板に対して実質的に９０°の角度で延びる側壁も含み得る。好ましくは、前記パイプの前記フランジが前記ガードの前記側壁内に適合するように該ガードの直径は決められる。
【００５０】
前記ガードは、熱可塑性ポリカーボネート樹脂（例えばＬｅｘａｎ（登録商標））などの緩衝材から製造され得る。
【００５１】
前記ガードが前記フランジを覆うように配置されるとき、前記第２の組立栓は、該ガードを覆うように適合させられ得る。前記第２の組立栓は、第４の部分の外周から延びる側壁の形態の第３の部分を含む。
【００５２】
前記第３の部分は、可とう性を有し得、適切な位置にあるとき該第３の部分は、前記パイプの端から離れた位置にある該パイプの第１の位置で該パイプにかみ合わされ得る。前記第３の部分は、ケーブルタイまたは他の締め付け手段を用いて前記パイプに締め付けられ得る。
【００５３】
前記第４の部分は、前記フランジと同じかまたは前記フランジよりわずかに大きい直径を有し得る。
【００５４】
前記第１の組立栓及び前記第２の組立栓の部分または全体は、流体がそれらを通過することを可能にしそれゆえ排液手段を与える材料から製造され得る。
【００５５】
前記ガードの排液手段は、前記孔によって与えられ得る。
【００５６】
更に本発明は、屑がパイプの中に入り込むのを防ぎそして栓セットが取り付けられるフランジを有する該パイプの端を保護するために、該パイプの開口部に関して取り付けられるように適合させられる栓セットであって、第１の組立栓と、ガードと、第２のガードを含む栓セットにおいて、該栓セットまたはその部品が耐衝撃性を有することを特徴とする栓セットを提供する。
【００５７】
好ましくは、前記第１の組立栓は、先に記載されたものである。
【図面の簡単な説明】
【００５８】
本発明は、以下に記載するその７つの具体的実施形態を引用することによって、よりよく理解される。この本発明の７つの具体的実施形態は、付随する図面中に示される。図は：
【図１】本発明の第１の実施形態による組立栓の底面図である。
【図２】図１の横断側面図である。
【図３】本発明の第２の実施形態による組立栓の側面図である。
【図４】図３に示される組立栓がはさまった状態のパイプの横断側面図である。
【図５】パイプ上に配置される第３の実施形態による組立栓の横断側面図である。
【図６】断面６−６で切った図５の端面図である。
【図７】第４の実施形態による組立栓の横断側面図である。
【図８】第５の実施形態による組立栓の横断側面図である。
【図９】第６の実施形態による組立栓の横断側面図である。
【図１０】第７の実施形態による組立栓の横断側面図である。
【図１１】図１０に示されるガードの横断側面図である。及び
【図１２】図１１に示されるガードの平面図である。
【発明を実施するための形態】
【００５９】
図１及び図２を参照すると、本発明による第１の実施形態は、パイプ１３に挿入される組立栓１１の形態をとる。通常はビルディングの建設の間、平板１９のためのコンクリートの注入に先立って、配管業務及び電気工事業務のためのパイプ工作物が配置される。従って、前記パイプ工作物は、建設の初期段階からビルディング構造物中に組み込まれる。
【００６０】
前記組立栓１１は、第２の部分２３に固定されて連結される第１の部分２１を含む。図２に示されるように、前記第１の部分２１は、前記第２の部分２３に縫い目２９により縫い付けられ固定されて連結される。しかし、接着剤による接着などの、前記第１の部分２１と第２の部分２３とを一緒に固定しながら連結するいかなる他の手段も本発明の範囲に含まれることが理解される。これらは一体化されていてさえも良い。前記組立栓１１が前記パイプ１３の前記開口部を覆う障壁となるように配置されるとき、前記第２の部分２３は前記第１の部分２１を該パイプ１３の該開口部中に保持する。
【００６１】
前記第１の部分２１は中空で、円筒形をしており、前記パイプ１３の第１の端１５中に収容されるとき前記パイプ１３中に適合して配置するような直径を有する。前記第１の部分２１は、前記第２の部分２３の第１の表面２７上に位置する中央領域２５で該第２の部分２３に固定されて連結される第１の端２２を有する。
【００６２】
前記第２の部分２３は平面形をしており、前記中央領域２５を超えて放射状に延長され、前記平板１９の表面１７へと固定され得る固定用表面３１を与える。前記固定用表面３１は、当業者に既知のあらゆる手段によって表面１７に固定され得る。しかし、これは概して接着剤による接着の方法によることが期待される。前記固定用表面３１が表面１７に固定されるとき、前記組立栓１１は適切な位置に固定されパイプ開口部を覆う障壁を提供する。
【００６３】
前記組立栓１１は、排液手段３３も含み、これは該組立栓１１の屑の侵入に対する障壁となる能力を損なうことなく、水などの液体が該組立栓１１を通過しパイプから排出されるのを可能にする。示されている実施形態では、前記組立栓１１が製造される材料が前記排液手段３３を与える。この材料は透過性があり、液体を通過させる。
【００６４】
本実施形態では、前記材料は弾力性も有し、前記組立栓１１に緩衝特性を与える。従って、前記組立栓１１が適切な位置にあるとき、前記パイプ１３は、その上に落下する物体または該パイプの上を通る車両から保護される。
【００６５】
図３及び図４は、第２の実施形態による組立栓１１を示す。この組立栓１１と前記第１の実施形態による組立栓１１との相違点は、第１の部分２２１に関する。この実施形態では、第１の部分２２１の中身は詰まっている。この組立栓１１は、特に交通量の多い区域に配置されるパイプ１３に適している。
【００６６】
使用に際しては、前記組立栓１１は、前記パイプ１３のサイズに従って選択される。工事に使用されるパイプの直径の規格数は限られているので、膨大な範囲のサイズの組立栓１１をそろえる必要はない。前記第１の部分２２１は、前記パイプ１３の前記第１の端１５中に、第２の部分２３の第１の表面２７が該第１の端１５にかみ合うまたは隣接するまで挿入される。次に固定用表面３１が、前記平板１９の表面１７に接着剤で接着され前記組立栓１１を前記パイプ１３に関して適切な位置に保持する。
【００６７】
配管作業及び／または電気工事を開始するとき、前記組立栓１１は、前記パイプ１３から容易に外すことができる。
【００６８】
ある種の工事地点では、前記パイプ１３の第１の端１５は、平板の表面１７から上に突き出る。前記パイプ１３の突き出した長さが少ししかない場合、前記第２の部分２３の前記固定用表面３１は、該第２の部分２３が可とう性を有するため、前記平板の表面１７に依然固定され得る。しかし、前記パイプ１３の突き出した長さがより長い場合、前記固定用表面３１は、前記パイプの第１の端１５に隣接する前記パイプ１３の外側に固定される必要がある。
【００６９】
図５及び図６を参照して、本発明の更なる実施形態が示される。この実施形態は、建設産業で使用されるものなど、特に輸送され得る及び／または媒体中に固定されないパイプに適している。例えばこの実施形態の用途としては、特に輸送及び保管の間にパイプに望ましくない屑が入り込まないようにすることが重要な、石油ガス産業における利用がある。
【００７０】
図５に見ることができるように、組立栓４１は、パイプ１３の一端を覆うように配置される。この組立栓４１は、前記第１の実施形態において上記したものと実質的に同一のものに、第３の部分４３を付加したものである。前記第３の部分４３は、円筒形をしており、前記第１の部分２１に関して同軸上に配置されるように前記第２の部分２３の第１の表面２７上に固定されて搭載される。前記第３の部分４３は、前記パイプ１３の外側表面に適合する袖として作用する。前記第１の部分２１と第３の部分４３との間の空間は、前記パイプの壁がそこに適合するように収容されるように造られる。これは、組立栓４１が前記パイプ１３の開口部の上に着脱可能に保持されるのを確実にする。
【００７１】
代替の実施形態では、前記組立栓４１は、前記パイプ端に接着剤で接着され得、チャックされ得、縛られ得、または他の手段で締め付けられ得、適切な位置に保持される。
【００７２】
図７を参照すると、本発明による第４の実施形態が、パイプに挿入するための組立栓１１の形態をとるのがわかる。この組立栓１１は、第１の部分２１に固定されて連結される第２の部分１２３を含む。接着剤による接着などの、前記第１の部分２１と第２の部分１２３とを一緒に固定して連結するあらゆる手段が本発明の範囲に含まれることが理解される。
【００７３】
前記第１の部分２１は、中空で円筒形をしており、前記パイプ１３の第１の端に収容されるとき該パイプ中に適合して配置するような直径を有する。前記第１の部分２１は、貯蔵所１２７を画定する開放された第１の端１２２及び閉鎖された第２の端１２５を有する。
【００７４】
前記第２の部分１２３は、前記組立栓１１が前記パイプ１３の開口部を覆う障壁となるように配置されるとき、前記第１の部分２１を適切な位置に保持する。
【００７５】
前記第２の部分１２３は、可とう性を有し、前記平板の表面に固定されるように適合させられる。前記第２の部分１２３は、当業者に既知のいかなる手段を用いて表面に固定されても良い。しかし、これは概して接着剤による接着によって行われることが期待される。前記第２の部分１２３が前記表面に固定されるとき、前記組立栓１１は、適切な位置に保持され、屑が更にパイプの中に侵入できないようにする障壁となる。更に前記第１の部分の形状によって、前記組立栓は、前記組立栓から進入し得るいかなる侵入屑も収容できるように作用する。
【００７６】
前記組立栓１１は、排液手段３３も含み、これは該組立栓１１の屑を収容する能力を損なうことなく、水などの液体が該組立栓を通過しパイプから排出されるのを可能にする。示されている実施形態では、前記組立栓１１が製造される材料が前記排液手段３３を与える。この材料は透過性があり、液体を通過させる。
【００７７】
図８は、図５及び図６に示した第３の実施形態に類似した第５の実施形態を示す。この実施形態では、前記第３の部分４３が前記第２の部分２３の外周に隣接して連結される。
【００７８】
図９を参照して、本発明の第６の実施形態が示される。この実施形態は、図８に示される実施形態と類似するが、特に端にフランジ５１を含むパイプに適するように製造されており、このフランジに前記組立栓１１が適合させられる。この実施形態の第３の部分１４３は、パイプの端から離れた位置にあるパイプの第１の位置５３で締め付けられるように適合させられている。前記第３の部分１４３をこの位置に締め付けて前記組立栓１１を適切な位置に保持するのにケーブルタイ５４を使用しても良い。再び、前記第１の部分２１は、パイプの穴の中に適合させられて収容される。しかし、他の実施形態では前記第１の部分２１は無くても良いことが、考察される。
【００７９】
図１０を参照して、本発明の第７の実施形態が示される。再びこの実施形態は、特にその端にフランジ５１を含むパイプに適しており、このフランジに組立栓１１が適合させられる。この実施形態は、第１の組立栓１１ａと、ガード１５１と、第２の組立栓１１ｂとを含む栓セット１１１を示し、これらの栓セットの全ての要素は共同して該栓セット１１１に排液手段を与える。
【００８０】
前記第１の組立栓１１ａは、実質的に図１及び図２に示したもの及び本発明の第１の実施形態において説明したものであるが、これらとは第１の部分が底の無い中空の円筒２１ａの形態をしている点だけ違う。
【００８１】
前記ガード１５１は、更に図１１及び図１２に示され、外周から延びる側壁１５５を有する円板１５３を含む。前記ガード１５１は、前記フランジ５１が前記側壁１５５の境界内に適合して収容されるために十分なサイズを有する。この実施形態では、前記円板１５３は、適切な位置にあるときパイプの開口部と一直線上に並ぶ孔１５７を有する。この孔１５７は、栓セット１１１の排液手段３３の一部分を形成し、パイプが比較的に乾燥した状態になるように液体及び空気を通す。前記孔１５７は、前記第１の組立栓１１ａの第２の部分２３ａを収容するのに十分な直径を有する。しかし、他の実施形態では前記円板１５３は孔１５７を含まなくても良いことが考察される。また、ガード１５１が側壁１５５を有さなくても良いことも考察される。
【００８２】
前記ガード１５１は、熱可塑性ポリカーボネート樹脂（例えばＬｅｘａｎ（登録商標））などの緩衝材から製造される。
【００８３】
前記第２の組立栓１１ｂは、実質的に前記第６の実施形態において説明し、図９中に示したものと同じであるが、中空の円筒２１が存在しない点だけが相違する。
【００８４】
前記第７の実施形態の栓セット１１１は、液体及び空気を通過させる一方で、輸送及び保管の間にパイプのフランジ端に頑強な保護を与える。
【００８５】
前記組立栓の前記第１の部分２１はいかなる形態もとり得、その形態はパイプの形態に基づくことが理解される。
【００８６】
当業者に明白であるような変更形態及び変形形態は、本発明の範囲に入ると見なされる。
【００８７】
明細書を通して、文脈が別なふうに解釈することを要求しない限り、用語“含む（ｃｏｍｐｒｉｓｅ）”または“（ｃｏｍｐｒｉｓｅｓ）”もしくは“（ｃｏｍｐｒｉｓｉｎｇ）”などの語尾変化形は、述べられた完全体または完全体のグループを含むが、いかなる他の完全体または完全体のグループを排除するものではないことを意味することが理解される。
【産業上の利用可能性】
【００８８】
前記組立栓は、石油ガス産業、土木工事及び他のインフラ計画、鉱業、並びに海事産業などの複数の産業において使用できることも理解される。
【符号の説明】
【００８９】
１１    組立栓
１１ａ  第１の組立栓
１１ｂ  第２の組立栓
１１１  栓セット
１２２  開放された第１の端
１２３  第２の部分
１２５  閉鎖された第２の端
１２７  貯蔵所
１３    パイプ
１４３  第３の部分
１５    第１の端
１５１  ガード
１５３  円板
１５５  側壁
１５７  孔
１７    表面
１９    平板
２１    第１の部分
２１ａ  底の無い中空の円筒
２２    第１の端
２２１  第１の部分
２３    第２の部分
２３ａ  第２の部分
２５    中央領域
２７    第１の表面
２９    縫い目
３１    固定用表面
３３    排液手段
４１    組立栓
４３    第３の部分
５１    フランジ
５３    第１の位置
５４    ケーブルタイ
【手続補正２】
【補正対象書類名】特許請求の範囲
【補正対象項目名】全文
【補正方法】変更
【補正の内容】
【特許請求の範囲】
【請求項１】
屑がパイプの中に入り込むのを防止するために該パイプの第１の端の開口部に関して受容されるように適合させられる組立栓であって、
該開口部に関して受容されるように適合させられる第１の部分と、
流体を該組立栓及びパイプに容易に浸透させる多孔質材料からできた領域を有する第２の部分とを含む組立栓において、
該第１の部分が該組立栓が該開口部に関して配置されるとき該第１の部分を適切な位置に保持する実質的に平面形の第２の部分に固定されて連結され、流体は流体と共に屑を侵入させることなく該組立栓をどちらの方向にも通過できることを特徴とする組立栓。
【請求項２】
前記第１の部分が円筒形をなしそして前記パイプの前記第１の端中に密着する（ｃｏｍｐｌｉｍｅｎｔｓ  ｔｈｅ  ｆｉｒｓｔ  ｅｎｄ  ｏｆ  ｔｈｅ  ｐｉｐｅ）ことを特徴とする、請求項１に記載の組立栓。
【請求項３】
前記第１の部分が前記パイプの前記開口部中に適合させられて収容されることを特徴とする、請求項１または２に記載の組立栓。
【請求項４】
前記第１の部分が前記パイプの前記第１の端の内周に接して収容されることを特徴とする、請求項１または２に記載の組立栓。
【請求項５】
前記第１の部分が中空であり、前記第２の部分の前記多孔質領域が該第１の部分の中空部分と一直線上に並び流体を通過させることを特徴とする、請求項１から４のいずれかに記載の組立栓。
【請求項６】
前記第１の部分が同じ多孔質材料からできていることを特徴とする、請求項１から４のいずれかに記載の組立栓。
【請求項７】
前記第２の部分全体が多孔質材料から形成されることを特徴とする、請求項１から６のいずれかに記載の組立栓。
【請求項８】
前記第２の部分が前記第１の部分の第１の端に固定されることを特徴とする、請求項１から７のいずれかに記載の組立栓。
【請求項９】
前記第１の部分の第１の端が前記第２の部分の第１の表面の中央領域に固定させられて連結されることを特徴とする、請求項８に記載の組立栓。
【請求項１０】
前記第２の部分が開口部に関して固定されるよう適合させられることを特徴とする、請求項１から９のいずれかに記載の組立栓。
【請求項１１】
前記第２の部分が前記パイプの第１の端の近くの表面に固定されるように適合させられることを特徴とする、請求項１から１０のいずれかに記載の組立栓。
【請求項１２】
前記第２の部分が前記パイプに固定されるように適合させられることを特徴とする、請求項１から１１のいずれかに記載の組立栓。
【請求項１３】
前記組立栓が前記パイプに取り付けられるとき、前記開口部に隣接する該パイプの外側面の回りを囲むように適合させられ前記第２の部分に固定されて取り付けられる第３の部分をさらに含む組立栓であって、該第３の部分が前記第１の部分に関して同軸上に配置するように該第２の部分上に搭載される中空の円筒であり、該パイプ開口部に隣接する該パイプの壁が該組立栓が適切な位置に配置するとき該第１の部分と該第３の部分の間に収容されることを特徴とする、請求項１から１２のいずれかに記載の組立栓。
【請求項１４】
前記パイプ壁が、前記第１の部分及び第３の部分の間に締まりばめとなるように適合させられて収容されることを特徴とする、請求項１３に記載の組立栓。
【請求項１５】
前記第２の部分の直径が前記第３の部分の外径と等しくなることを特徴とする、請求項１３または１４に記載の組立栓。
【請求項１６】
前記パイプの外側の、パイプ端から離れた位置にある第１の位置に、前記第３の部分が着脱可能に固定されるよう適合させられることを特徴とする、請求項１３から１５のいずれかに記載の組立栓。
【請求項１７】
前記第３の部分が多孔質材料からできていることを特徴とする、請求項１３から１６のいずれかに記載の組立栓。
【請求項１８】
前記多孔質材料が可とう性、弾力性、耐摩耗性及び／または緩衝性を有することを特徴とする、請求項１から１７のいずれかに記載の組立栓。
【請求項１９】
前記多孔質材料が予め選ばれた流体が通過するのを防止するろ過手段を与えることを特徴とする、請求項１から１８のいずれかに記載の組立栓。
【請求項２０】
前記多孔質材料が通過する流体に望まれる流速を与えることを特徴とする、請求項１から１９のいずれかに記載の組立栓。
【請求項２１】
屑がパイプの中に入り込むのを防止するために該パイプの第１の端中に収容されるように適合させられる組立栓であって、
該第１の端中に収容されるように適合させられる第１の部分と、
該組立栓が該第１の端に関して配置されるとき該第１の部分を適切な位置に保持する平面形を有し該第１の部分に連結する第２の部分とを含む組立栓において、
該第１の部分及び第２の部分が多孔性の弾力のある液体透過性の材料から製造されこれにより排液手段が与えられることを特徴とする組立栓。
【請求項２２】
屑がパイプの中に入り込むのを防止するために該パイプの第１の端中に収容されるように適合させられる組立栓であって、
該第１の端中に収容されるように適合させられる第１の部分と、
第２の部分の第１の端が該第１の部分に固定され、該第２の部分の第２の端が該組立栓が該パイプの第１の端に関して配置されるとき該パイプまたはその近傍の表面に固定され該第１の部分を適切な位置に保持する該第２の部分とを含む組立栓において、
該第２の部分が該第１の部分が該パイプからはずれされることを可能にし、該第１の部分が流体を該組立栓及びパイプに容易に浸透させる多孔質材料からできた領域を有し、流体が流体と共に屑を侵入させることなく組立栓をどちらの方向にも通過できることを特徴とする組立栓。
【請求項２３】
前記第１の部分が端壁を有し中空で円筒形をしており、この端壁によって前記パイプに侵入し得る屑が該第１の部分中に集められ、これにより該第１の部分が屑を収容する貯蔵所を提供することを特徴とする、請求項２２に記載の組立栓。
【請求項２４】
前記第２の部分が前記第１の部分の前記端壁に固定されることを特徴とする、請求項２３に記載の組立栓。
【請求項２５】
屑がパイプの中に入り込むのを防止するために該パイプの開口部に関して取り付けられるように適合させられる栓セットであって、
請求項１から２０のいずれかに記載したような第１の組立栓、及び
ガードを含む栓セットにおいて、
流体が該栓セットを通過できるように該栓セットが排液手段を有することを特徴とする栓セット。
【請求項２６】
更に第２の組立栓を含む請求項２５に記載の栓セット。
【請求項２７】
前記パイプが端にフランジを有しこれに前記栓セットが取り付けられることを特徴とする、請求項２５または２６に記載の栓セット。
【請求項２８】
前記ガードが、適切な位置にあるときには前記第１の組立栓の前記多孔質材料並びに前記パイプの前記開口部と一直線上に並ぶ孔を有することを特徴とする、請求項２５から２７のいずれかに記載の栓セット。
【請求項２９】
前記ガードが円板を含むことを特徴とする、請求項２５から２８のいずれかに記載の栓セット。
【請求項３０】
前記ガードが、前記円板の外周から円板に対して実質的に９０°の角度で延びる側壁を含むことを特徴とする、請求項２５から２９のいずれかに記載の栓セット。
【請求項３１】
前記パイプの前記フランジが前記ガードの前記側壁内に適合するように該ガードの直径が決められることを特徴とする、請求項３０に記載の栓セット。
【請求項３２】
前記ガードが前記フランジを覆うように配置されるとき前記第２の組立栓が該ガードを覆うように取り付けられるように適合され、該第２の組立栓が第４の部分の外周から延びる側壁の形態の第３の部分を含み、該第４の部分が流体を該第２の組立栓に容易に浸透させる多孔質材料からできた領域を有し、該第４の部分のこの領域が該ガードの孔及び該第１の組立栓の類似の領域と一直線上に並ぶことを特徴とする、請求項２８から３１のいずれかに記載の栓セット。
【請求項３３】
前記第３の部分が可とう性を有し、適切な位置にあるとき該第３の部分が前記パイプの端から離れた位置にある該パイプの第１の位置で該パイプにかみ合わされることを特徴とする、請求項３２に記載の栓セット。
【請求項３４】
前記第３の部分がケーブルタイまたは他の締め付け手段を用いて前記パイプに締め付けられることを特徴とする、請求項３２または３３に記載の栓セット。
【請求項３５】
前記第４の部分が前記フランジと同じかまたは前記フランジよりわずかに大きい直径を有することを特徴とする、請求項３１から３４のいずれかに記載の栓セット。
【請求項３６】
前記栓セットまたはその部品が耐衝撃性を有することを特徴とする、請求項２５から３５のいずれかに記載の栓セット。
【請求項３７】
実質的に本明細書において図を参照して記載される組立栓。
【請求項３８】
実質的に本明細書において図を参照して記載される栓セット。
【国際調査報告】
2009541664.tif 000015
2009541664.tif 000016
2009541664.tif 000017
2009541664.tif 000018
2009541664.tif 000019